(57)【要約】  【課題】見栄えおよび興趣性を向上したフォトフレームを提供する。  【解決手段】本体部３を一側部から開くと、一の連結体４が第１表示部15に重合し、他の連結体５が第２枠部26に重合して、写真P1が第３窓部33から臨み、写真P2が第２窓部27から臨む一の展示状態を形成する。本体部３を他側部から開くと、一の連結体４が第２表示部25に重合し、他の連結体５が第１枠部16に重合して、写真P1が第１窓部17から臨み写真P2が第３窓部33から臨むとともに一の展示状態と配色が異なる他の展示状態を形成する。本体部３を開く方向を変えるだけで、各写真P1，P2の見かけの展示位置とそれぞれの配色とが異なる一の展示状態と他の展示状態とを切り換えでき、見栄えおよび興趣性を向上できる。  【選択図】図１
2006043261.tif 000002
【特許請求の範囲】
【請求項１】
一の被展示物を保持可能な一の扉体と他の被展示物を保持可能な他の扉体とを、それぞれの一主面側が見開き状となるように一の連結体および他の連結体で互いに開閉可能に連結し、少なくとも両側部を有する本体部を備え、
前記一の扉体は、一主面側を形成する第１領域および第２領域と、少なくとも前記第１領域に設けられ一の被展示物が臨む第１窓部とを有し、
前記他の扉体は、一主面側を形成する第３領域および第４領域と、少なくとも前記第３領域に設けられ他の被展示物が臨む第２窓部とを有し、
前記一の連結体は、前記本体部の一側部側で前記第１領域に連結されるとともに、前記本体部の他側部側で前記第３領域に連結され、
前記他の連結体は、前記本体部の他側部側で前記第２領域に連結されるとともに、前記本体部の一側部側で前記第４領域に連結され、
少なくとも前記一の連結体に第３窓部を設け、
前記本体部を一側部から開くことで、前記一の連結体が前記第１領域に重合され、かつ、前記他の連結体が前記第４領域に重合されて、一の被展示物が前記第３窓部から臨み、他の被展示物が前記第２窓部から臨む一の展示状態を形成し、
前記本体部を他側部から開くことで、前記一の連結体が前記第３領域に重合され、かつ、前記他の連結体が前記第２領域に重合されて、一の被展示物が前記第１窓部から臨み他の被展示物が前記第３窓部から臨むとともに前記一の展示状態と配色が異なる他の展示状態を形成する
ことを特徴とした被展示物立て。
【請求項２】
一の被展示物を保持可能な一の扉体と他の被展示物を保持可能な他の扉体とを、それぞれの一主面側が見開き状となるように一の連結体および他の連結体で互いに開閉可能に連結し、少なくとも両側部を有する本体部を備え、
前記一の扉体は、一主面側を形成する第１領域および第２領域と、少なくとも前記第１領域に設けられ一の被展示物が臨む第１窓部とを有し、
前記他の扉体は、一主面側を形成する第３領域および第４領域と、少なくとも前記第３領域に設けられ他の被展示物が臨む第２窓部とを有し、
前記一の連結体は、前記本体部の一側部側で前記第１領域に連結されるとともに、前記本体部の他側部側で前記第３領域に連結され、
前記他の連結体は、前記本体部の他側部側で前記第２領域に連結されるとともに、前記本体部の一側部側で前記第４領域に連結され、
少なくとも前記一の連結体に、前記第１窓部および前記第２窓部の少なくともいずれか一方と形状が異なる第３窓部を設け、
前記本体部を一側部から開くことで、前記一の連結体が前記第１領域に重合され、かつ、前記他の連結体が前記第４領域に重合されて、一の被展示物が前記第３窓部から臨み、他の被展示物が前記第２窓部から臨む一の展示状態を形成し、
前記本体部を他側部から開くことで、前記一の連結体が前記第３領域に重合され、かつ、前記他の連結体が前記第２領域に重合されて、一の被展示物が前記第１窓部から臨み、他の被展示物が前記第３窓部から臨む他の展示状態を形成する
ことを特徴とした被展示物立て。
【請求項３】
一の扉体は、被展示物を挿入可能な一の開口部を下端部に備え、第１窓部に連通する一の保持部を内部に備え、
他の扉体は、被展示物を挿入可能な他の開口部を下端部に備え、第２窓部に連通する他の保持部を内部に備えている
ことを特徴とした請求項１または２記載の被展示物立て。
【発明の詳細な説明】
【技術分野】
【０００１】
本発明は、例えば写真などの被展示物を展示する被展示物立てに関する。
【背景技術】
【０００２】
従来、この種の被展示物立ては、フレーム、透明板および背面板とで構成された矩形状の単位写真立てを、見開き状に開閉可能となるように連結した写真立てがある。
【０００３】
しかしながら、このような写真立てでは、単位写真立ての見開き状態が一つだけであるため、見栄えや興趣に乏しいという問題がある。
【０００４】
そこで、単位写真立ての短辺および長辺に、それぞれ連結体を設け、対をなす単位写真立ての長辺同士、あるいは短辺同士を連結体で連結することで、縦横両方の向きの写真に対応可能に見開き状に開閉可能とした写真立ても知られている（例えば、特許文献１参照。）。
【特許文献１】特開平９−１１７３５５号公報（第３−４頁、図１、図４）
【発明の開示】
【発明が解決しようとする課題】
【０００５】
しかしながら、上述の写真立てでは、異なる写真の向きに対応するだけであるため、見栄えや興趣性が充分であるとはいえないという問題点を有している。
【０００６】
本発明は、このような点に鑑みなされたもので、見栄えおよび興趣性を向上した被展示物立てを提供することを目的とする。
【課題を解決するための手段】
【０００７】
請求項１記載の被展示物立ては、一の被展示物を保持可能な一の扉体と他の被展示物を保持可能な他の扉体とを、それぞれの一主面側が見開き状となるように一の連結体および他の連結体で互いに開閉可能に連結し、少なくとも両側部を有する本体部を備え、前記一の扉体は、一主面側を形成する第１領域および第２領域と、少なくとも前記第１領域に設けられ一の被展示物が臨む第１窓部とを有し、前記他の扉体は、一主面側を形成する第３領域および第４領域と、少なくとも前記第３領域に設けられ他の被展示物が臨む第２窓部とを有し、前記一の連結体は、前記本体部の一側部側で前記第１領域に連結されるとともに、前記本体部の他側部側で前記第３領域に連結され、前記他の連結体は、前記本体部の他側部側で前記第２領域に連結されるとともに、前記本体部の一側部側で前記第４領域に連結され、少なくとも前記一の連結体に第３窓部を設け、前記本体部を一側部から開くことで、前記一の連結体が前記第１領域に重合され、かつ、前記他の連結体が前記第４領域に重合されて、一の被展示物が前記第３窓部から臨み、他の被展示物が前記第２窓部から臨む一の展示状態を形成し、前記本体部を他側部から開くことで、前記一の連結体が前記第３領域に重合され、かつ、前記他の連結体が前記第２領域に重合されて、一の被展示物が前記第１窓部から臨み他の被展示物が前記第３窓部から臨むとともに前記一の展示状態と配色が異なる他の展示状態を形成するものである。
【０００８】
そして、本体部を一側部から開くと、本体部の一側部側で一の扉体の第１領域に連結され本体部の他側部側で他の扉体の第３領域に連結される一の連結体が第１領域に重合され、かつ、本体部の他側部側で一の扉体の第２領域に連結され本体部の一側部側で他の扉体の第４領域に連結される他の連結体が第４領域に重合されて、一の被展示物が少なくとも一の連結体に設けられた第３窓部から臨み、他の被展示物が少なくとも第３領域に設けられた第２窓部から臨む一の展示状態が形成され、本体部を他側部から開くと、一の連結体が他の扉体の第３領域に重合され、かつ、他の連結体が一の扉体の第２領域に重合されて、一の被展示物が第１領域に設けられた第１窓部から臨み他の被展示物が第３窓部から臨むとともに一の展示状態と配色が異なる他の展示状態が形成されるため、本体部を開く方向を変えるだけで、各被展示物の見かけの展示位置とそれぞれの配色とが異なる一の展示状態と他の展示状態とを切り換えでき、見栄えおよび興趣性が向上する。
【０００９】
請求項２記載の被展示物立ては、一の被展示物を保持可能な一の扉体と他の被展示物を保持可能な他の扉体とを、それぞれの一主面側が見開き状となるように一の連結体および他の連結体で互いに開閉可能に連結し、少なくとも両側部を有する本体部を備え、前記一の扉体は、一主面側を形成する第１領域および第２領域と、少なくとも前記第１領域に設けられ一の被展示物が臨む第１窓部とを有し、前記他の扉体は、一主面側を形成する第３領域および第４領域と、少なくとも前記第３領域に設けられ他の被展示物が臨む第２窓部とを有し、前記一の連結体は、前記本体部の一側部側で前記第１領域に連結されるとともに、前記本体部の他側部側で前記第３領域に連結され、前記他の連結体は、前記本体部の他側部側で前記第２領域に連結されるとともに、前記本体部の一側部側で前記第４領域に連結され、少なくとも前記一の連結体に、前記第１窓部および前記第２窓部の少なくともいずれか一方と形状が異なる第３窓部を設け、前記本体部を一側部から開くことで、前記一の連結体が前記第１領域に重合され、かつ、前記他の連結体が前記第４領域に重合されて、一の被展示物が前記第３窓部から臨み、他の被展示物が前記第２窓部から臨む一の展示状態を形成し、前記本体部を他側部から開くことで、前記一の連結体が前記第３領域に重合され、かつ、前記他の連結体が前記第２領域に重合されて、一の被展示物が前記第１窓部から臨み、他の被展示物が前記第３窓部から臨む他の展示状態を形成するものである。
【００１０】
そして、本体部の一側部側で一の扉体の第１領域に連結され本体部の他側部側で他の扉体の第３領域に連結される一の連結体が第１領域に重合され、かつ、本体部の他側部側で一の扉体の第２領域に連結され本体部の一側部側で他の扉体の第４領域に連結される他の連結体が第４領域に重合されて、一の被展示物が一の連結体に設けられ第１窓部および第２窓部の少なくともいずれか一方と形状が異なる第３窓部から臨み、他の被展示物が第３領域に設けられた第２窓部から臨む一の展示状態が形成され、本体部を他側部から開くと、一の連結体が他の扉体の第３領域に重合され、かつ、他の連結体が一の扉体の第２領域に重合されて、一の被展示物が第１領域に設けられた第１窓部から臨み他の被展示物が第３窓部から臨む他の展示状態が形成されるため、本体部を開く方向を変えるだけで、各被展示物の見かけの展示位置とそれぞれの被展示物が臨む窓部の形状とが異なる一の展示状態と他の展示状態とを切り換えでき、見栄えおよび興趣性が向上する。
【００１１】
請求項３記載の被展示物立ては、請求項１または２記載の被展示物立てにおいて、一の扉体が、被展示物を挿入可能な一の開口部を下端部に備え、第１窓部に連通する一の保持部を内部に備え、他の扉体が、被展示物を挿入可能な他の開口部を下端部に備え、第２窓部に連通する他の保持部を内部に備えているものである。
【００１２】
そして、被展示物を挿入する各開口部を、それぞれ各扉体の下端部に設けることで、各展示状態で被展示物を各保持部から容易に取り出すことができず、被展示物を確実に保護する。
【発明の効果】
【００１３】
請求項１記載の発明によれば、本体部を一側部から開くと、一の連結体が第１領域に重合され、かつ、他の連結体が第４領域に重合されて、一の被展示物が第３窓部から臨み、他の被展示物が第２窓部から臨む一の展示状態が形成され、本体部を他側部から開くと、一の連結体が第３領域に重合され、かつ、他の連結体が第２領域に重合されて、一の被展示物が第１窓部から臨み他の被展示物が第３窓部から臨むとともに一の展示状態と配色が異なる他の展示状態が形成されるため、本体部を開く方向を変えるだけで、各被展示物の見かけの展示位置とそれぞれの配色とが異なる一の展示状態と他の展示状態とを切り換えでき、見栄えおよび興趣性を向上できる。
【００１４】
請求項２記載の発明によれば、本体部を一側部から開くと、一の連結体が第１領域に重合され、かつ、他の扉体の第４領域に重合されて、一の被展示物が第３窓部から臨み、他の被展示物が第２窓部から臨む一の展示状態が形成され、本体部を他側部から開くと、一の連結体が第３領域に重合され、かつ、他の連結体が第２領域に重合されて、一の被展示物が第１窓部から臨み他の被展示物が第３窓部から臨む他の展示状態が形成されるため、本体部を開く方向を変えるだけで、各被展示物の見かけの展示位置とそれぞれの被展示物が臨む各窓部の形状とが異なる一の展示状態と他の展示状態とを切り換えでき、見栄えおよび興趣性を向上できる。
【００１５】
請求項３記載の発明によれば、被展示物を挿入する各開口部を、それぞれ各扉体の下端部に設けることで、各展示状態で被展示物を各保持部から容易に取り出すことができず、被展示物を確実に保護できる。
【発明を実施するための最良の形態】
【００１６】
以下、本発明の一実施の形態の被展示物立ての構成を図１ないし図４を参照して説明する。
【００１７】
図１ないし図４に被展示物立てとしての写真立てであるフォトフレームを示し、このフォトフレームは、一の扉体１と他の扉体２とを有する四角形状の本体部３を備えている。そして、この本体部３は、これら各扉体１，２を、それぞれの一主面側が見開き状となるように、一の連結体４および他の連結体５により互いに開閉可能に連結して形成されている。
【００１８】
一の扉体１は、図３に示すように、本体部３を閉じた状態での外側面となる第１の背板11と、この第１の背板11と接合された一主面側の第１の表示板12とを備え、これら第１の背板11と第１の表示板12との間に、一の被展示物としての写真P1を保持可能な一の保持部13が形成されている。
【００１９】
第１の背板11は、図２などに示すように、例えばスプリットレザーなどで四角形平板状に形成されている。
【００２０】
また、第１の表示板12は、図１に示すように、上下方向の中央部に形成された四角形状の第１領域としての第１表示部15と、この第１表示部15の上下両端部に隣接してそれぞれ形成された四角形状の第２領域としての第１枠部16と、第１表示部15に穿設された第１窓部17とを有している。そして、第１表示部15と第１枠部16とで、第１の表示板12の一主面側が形成されている。
【００２１】
第１表示部15は、例えば一の配色としてのダークブラウンに染めたスプリットレザーなどで、第１の表示板12の左右両側部に亘って形成されている。そして、この第１表示部15は、一の連結体４と略等しい形状に形成されている。
【００２２】
また、第１枠部16は、例えば他の配色としての青など、第１表示部15と異なる配色で染めたスプリットレザーなどで、第１の表示板12の左右両側部に亘って細長四角形状に形成されている。そして、これら第１枠部16は、それぞれ他の連結体５と略等しい形状に形成されている。
【００２３】
さらに、第１窓部17は、第１表示部15の略中央部に穿設され、例えばこの第１表示部15の形状に略沿った横長の四角形状などに形成されている。
【００２４】
そして、一の保持部13は、図３に示すように、写真P1を挿入可能な一の開口部18を下端部に備え、かつ第１窓部17に連通している。このため、一の保持部13に保持された写真P1は、第１窓部17から一の扉体１の一主面側に臨んでいる。
【００２５】
一方、他の扉体２は、一の扉体１と同様に、本体部３を閉じた状態での外側面となる第２の背板21と、この第２の背板21と接合された一主面側の第２の表示板22とを備え、これら第２の背板21と第２の表示板22との間に、他の被展示物としての写真P2を保持可能な他の保持部23が形成されている。
【００２６】
第２の背板21は、図２などに示すように、例えばスプリットレザーなどで四角形平板状に形成されている。
【００２７】
また、第２の表示板22は、図１に示すように、上下方向の中央部に形成された四角形状の第３領域としての第２表示部25と、この第２表示部25の上下両端部に隣接してそれぞれ形成された四角形状の第４領域としての第２枠部26と、第２表示部25に穿設された第２窓部27とを有している。そして、第２表示部25と第２枠部26とで、第２の表示板22の一主面側が形成されている。
【００２８】
第２表示部25は、第１枠部16と同じ配色で染めたスプリットレザーなどで、第２の表示板22の左右両側部に亘って形成されている。そして、この第２表示部25は、第１表示部15および一の連結体４と略等しい大きさに形成されている。
【００２９】
また、第２枠部26は、第１表示部15と同じ配色で染めたスプリットレザーなどで、第２の表示板22の左右両側部に亘って細長四角形状に形成されている。そして、これら第２枠部26は、第１枠部16および他の連結体５とそれぞれ略等しい大きさに形成されている。
【００３０】
さらに、第２窓部27は、第２表示部25の略中央部に穿設され、例えばこの第２表示部25の形状に略沿った横長の四角形状などに形成されている。そして、この第２窓部27は、第１窓部17と略等しい大きさに形成されている。
【００３１】
また、他の保持部23は、図３に示すように、写真P2を挿入可能な他の開口部28を下端部に備え、かつ第２窓部27に連通している。このため、他の保持部23に保持された写真P2は、第２窓部27から他の扉体２の一主面側に臨んでいる。
【００３２】
そして、一の連結体４は、本体部３の一側部側で第１表示部15に連結され、本体部３の他側部側で第２表示部25に連結されるもので、図１に示すように、例えばスプリットレザーなどで四角形平板状に形成され、かつ、第１表示部15に対向する主面が、この第１表示部15と同じ配色に染められているとともに、第２表示部25に対向する主面が、この第２表示部25と同じ配色に染められている。
【００３３】
また、一の連結体４と第１表示部15との連結部には、本体部３を他側部側から開く際のヒンジとなる第１ヒンジ部31が上下方向に沿って形成され、一の連結体４と第２表示部25との連結部には、本体部３を一側部側から開く際のヒンジとなる第２ヒンジ部32が上下方向に沿って形成されている。
【００３４】
さらに、一の連結体４には、略中央部に第３窓部33が穿設されている。すなわち、この第３窓部33は、正面視で第１窓部17および第２窓部27と中心部が略一致している。そして、この第３窓部33は、例えば横長の楕円形状など、第１窓部17および第２窓部27と異なる形状に形成され、かつ、これら第１窓部17および第２窓部27よりも開口面積が小さく形成されている。
【００３５】
このため、図１に示すように、一の連結体４が第１表示部15、あるいは第２表示部25に重合した状態では、各窓部17，27の内縁部が一の連結体４により正面視で被覆され、第３窓部33が各窓部17，27に連通し、写真P1，P2が第３窓部33から臨むようになっている。
【００３６】
そして、他の連結体５は、本体部３の他側部側で第１枠部16に連結され、本体部３の一側部側で第２枠部26に連結されるもので、図１に示すように、例えばスプリットレザーなどで四角形平板状に形成され、かつ、第１枠部16に対向する主面が、この第１枠部16と同じ配色に染められているとともに、第２枠部26に対向する主面が、この第２枠部26と同じ配色に染められている。
【００３７】
また、他の連結体５と第１表示部15との連結部には、本体部３を一側部側から開く際のヒンジとなる第１連結ヒンジ部35が上下方向に沿って形成され、他の連結体５と第２表示部25との連結部には、本体部３を他側部側から開く際のヒンジとなる第２連結ヒンジ部36が上下方向に沿って形成されている。
【００３８】
そして、第１連結ヒンジ部35は、第２ヒンジ部32と正面視で略同一直線上となるように位置し、第２連結ヒンジ部36は、第１ヒンジ部31と正面視で略同一直線上となるように位置している。
【００３９】
次に、上記一実施の形態の作用効果を説明する。
【００４０】
フォトプレートは、非展示状態では、他の連結体５と各表示部15，25との間の段差に一の連結体４が嵌合し、図４(a)に示す状態となる。
【００４１】
この非展示状態で、本体部３を一側部から開くと、第２ヒンジ部32にて開かれた一の連結体４が第１表示部15に重合され、かつ、第１連結ヒンジ部35にて開かれた他の連結体５がそれぞれ第２枠部26に重合される。
【００４２】
この結果、図４(b)に示すように、一の扉体１が右側に位置し、他の扉体２が左側に位置して、一の扉体１側は、第１枠部16と一の連結体４の第２表示部25側の主面とが臨んで青色となるとともに、写真P1が第３窓部33から臨み、他の扉体２側は、第２表示部25と他の連結体５のそれぞれの第１枠部16側の主面とが臨んで青色になるとともに、写真P2が第２窓部27から臨む、一の展示状態となる。
【００４３】
一方、非展示状態で、本体部３を他側部から開くと、第１ヒンジ部31にて開かれた一の連結体４が第２表示部25に重合され、かつ、第２連結ヒンジ部36にて開かれた他の連結体５がそれぞれ第１枠部16に重合される。
【００４４】
この結果、図４(c)に示すように、一の扉体１側が左側に位置し、他の扉体２が右側に位置して、一の扉体１側は、第１表示部15と他の連結体５のそれぞれの第２枠部26側の主面とが臨んでダークブラウンとなるとともに、写真P1が第１窓部17から臨み、他の扉体２側は、第２枠部26と一の連結体４の第１表示部15側の主面とが臨んでダークブラウンになるとともに、写真P2が第３窓部33から臨む、他の展示状態となる。
【００４５】
このように、上記一実施の形態によれば、本体部３を一側部から開くと、一の連結体４が第１表示部15に重合され、かつ、他の連結体５が第２枠部26に重合されて、写真P1が第３窓部33から臨み、写真P2が第２窓部27から臨むとともに、これら写真P1，P2の周囲が青色の一の展示状態となり、本体部３を他側部から開くと、一の連結体４が第２表示部25に重合され、かつ、他の連結体５が第１枠部16に重合されて、写真P1が第１窓部17から臨み写真P2が第３窓部33から臨むとともに、これら写真P1，P2の周囲がダークブラウンの他の展示状態となる。
【００４６】
この結果、本体部３を開く方向を変えるだけで、各写真P1，P2の見かけの左右の展示位置および周囲の配色を切り換えできるため、見栄えおよび興趣性を向上できるとともに、使用者の気分などに応じて展示位置、あるいは展示色を変えることも可能となり、使い勝手がよい。
【００４７】
また、各展示状態を切り換えると、各写真P1，P2が臨む窓部の形状がそれぞれ四角形状と楕円形状とに切り換わるため、見栄えおよび興趣性を、より向上できる。
【００４８】
特に、各窓部17，27の形状を互いに略等しい形状としたことで、使用者が、本体部３を開く方向を変えた際に、第３窓部33の位置が移動して第１窓部17と第２窓部27とが入れ替わったことを容易に認識できないため、本体部３を開く方向を変えただけであたかも写真P1，P2の位置が入れ替わったかのような錯覚を覚え、興趣性をより向上できる。
【００４９】
さらに、写真P1，P2を挿入する各開口部18，28を、それぞれ各扉体１，２の下端部に設けることで、各展示状態で本体部３を展示面に置くと、各開口部18，28が展示面により閉塞され、写真P1，P2を各保持部13，23から容易に取り出しできないため、写真P1，P2を確実に保護できるとともに、各展示状態で各開口部18，28が露出しないので、体裁がよい。
【００５０】
なお、上記一実施の形態において、図５に示すように、例えば第１表示部15と第１枠部16とを、一の扉体１の上下に略等しい形状で形成し、第２表示部25と第２枠部26とを、他の扉体２の上下に略等しい形状で形成して、これら第１表示部15と第１枠部16とにそれぞれ第１窓部17を設け、第２表示部25と第２枠部26とにそれぞれ第２窓部27を設けるとともに、各連結体４，５のそれぞれに第３窓部33を設ける構成のフォトフレームを設けることも可能である。この場合には、各扉体１，２にそれぞれ２種類ずつの写真P1，P2を展示することができ、見栄えをより向上できる。
【００５１】
また、上記各実施の形態において、各展示状態での配色は、他の様々な色に設定できる。
【００５２】
さらに、第３窓部33の形状を各窓部17，27と同じ形状としても、写真P1，P2の展示位置および配色のそれぞれの変化により、充分な興趣を得ることができる。
【００５３】
そして、各展示状態での配色を互いに同じとしても、写真P1，P2の展示位置および窓部17，27，33の形状のそれぞれの変化により、充分な興趣を得ることができる。
【００５４】
また、各開口部18，28の位置は、各扉体１，２の上部、あるいは側部など、他のいずれの位置でもよい。
【００５５】
さらに、各窓部17，27，33に透明なフィルムなどを設けると、展示中の写真P1，P2に容易に触れることができないため、写真P1，P2をより確実に保護できる。
【００５６】
そして、各扉体１，２、あるいは各連結体４，５の材質などは、スプリットレザーに代えて、他の様々なものとすることが可能である。
【００５７】
また、被展示物としては、写真に代えて、例えば絵など、比較的扁平なものであれば他の様々なものを用いることが可能である。
【図面の簡単な説明】
【００５８】
【図１】本発明の一実施の形態の被展示物立てを示す正面図であり、(a)は同上被展示物立ての一の展示状態を示す正面図、(b)は同上被展示物立ての他の展示状態を示す正面図である。
【図２】同上被展示物立てを示す斜視図である。
【図３】同上被展示物立ての各開口部を示す斜視図である。
【図４】同上被展示物立てを示す斜視図であり、(a)は同上被展示物立ての非展示状態を示す斜視図、(b)は同上被展示物立ての一の展示状態での使用状態を示す斜視図、(c)は同上被展示物立ての他の展示状態での使用状態を示す斜視図である。
【図５】本発明の他の実施の形態の被展示物立てを示す斜視図である。
【符号の説明】
【００５９】
１    一の扉体
２    他の扉体
３    本体部
４    一の連結体
５    他の連結体
13    一の保持部
15    第１領域としての第１表示部
16    第２領域としての第１枠部
17    第１窓部
18    一の開口部
23    他の保持部
25    第３領域としての第２表示部
26    第４領域としての第２枠部
27    第２窓部
28    他の開口部
33    第３窓部
P1    一の被展示物としての写真
P2    他の被展示物としての写真
【図１】
2006043261.tif 000003
【図２】
2006043261.tif 000004
【図３】
2006043261.tif 000005
【図４】
2006043261.tif 000006
【図５】
2006043261.tif 000007